(57)【特許請求の範囲】
【請求項１】
コ字状の断熱材と筺体内に区画板を有し、区画板の内側に商品を陳列する庫内を形成すると共に、区画板と断熱材との間に冷気循環ダクトを形成したショーケースにおいて、
前記庫内に上下に着脱自在に取り付けられた第１商品陳列棚と、
前記第１商品陳列棚の前記区画板への取り付け位置に対応し、前記区画板に所定の大きさ、所定の数で形成された複数の冷気導入孔と、
前記区画板の冷気循環ダクト側に支軸を介して回動可能に設けられ、起立した状態と水平とされた状態とに変更可能とされ、起立した状態で前記冷気導入孔を閉塞し、水平とされた状態で前記冷気循環ダクトを閉塞するフラッパーとを備え、
前記第１商品陳列棚は前記冷気循環ダクトの冷気を前記庫内に導く中間ダクトと、前記第１商品陳列棚の前後方向に移動自在に取り付けられたフラッパー操作部を有しており、
前記第１商品陳列棚を前記庫内に取り付け、前記フラッパー操作部を稼動させて前記フラッパー操作部の一部を前記第１商品陳列棚の後端部から突出させると、該フラッパー操作部の一部が前記区画板に形成された所定の孔を通過し、前記所定の孔に隣接するフラッパーを回動させて水平状態にして前記冷気循環ダクトを閉塞すると共に前記冷気導入孔を開放させて前記中間ダクトに冷気を導くことを特徴とするショーケース。
【請求項２】
前記区画板に形成された前記複数の冷気導入孔は、前記フラッパー操作部が通過した前記特定の孔と略同じ高さに形成されていることを特徴とする請求項１記載のショーケース。
【請求項３】
前記冷気循環ダクトの断熱材側に、前記フラッパー操作部による前記フラッパーの回動を止めるフラッパー止めを設けたことを特徴とする請求項１又は請求項２に記載のショーケース。
【発明の詳細な説明】
【技術分野】
【０００１】
本発明は、商品陳列室内を、冷蔵商品専用、温蔵商品専用あるいは冷蔵商品と温蔵商品とが併売可能なように構成されているショーケースに関するものである。
【背景技術】
【０００２】
従来より、ショーケースでは、断熱筺体としてなる全面開放形のケース本体と、庫内の商品陳列室を取り巻いてケース本体の外箱の断熱壁と内箱の背面パネルとの間に画成した冷気循環ダクトと、冷却機と、庫内ファンと、冷凍機のコンデンシングユニットが収納されている機械室と、庫内に上下段に並んで商品を載置する商品陳列棚を構成する。
この各商品陳列棚には、温蔵商品も販売可能なように商品陳列棚内にヒータが設けられている。
【０００３】
例えば、上部の２段に温蔵商品、下部の２段に冷蔵商品を展示して冷温商品併売用の４段のショーケースとして設置した場合、２段目の商品陳列棚の下に着脱自在に設けられた仕切板を背面パネルに形成される切欠きを介して冷気循環ダクト内に進入させて、冷気循環ダクトを上下方向に遮蔽している。
【０００４】
また、切欠きは上下に区分される商品陳列棚の冷温商品の陳列比率を変更可能なように上下複数個所に設け、この切欠きを閉塞するために、背面パネルには開度自在に設けられ、仕切板により押し開かれるカバーを設けている。
【０００５】
このように、商品陳列棚に着脱自在に設けられた仕切板により冷気循環ダクト内を上下に遮蔽することにより、冷温商品の併売を可能としている（例えば、特許文献１参照）。
【先行技術文献】
【特許文献】
【０００６】
【特許文献１】特許第４２３８３４３号公報
【発明の概要】
【発明が解決しようとする課題】
【０００７】
上記特許文献１では、切欠きはショーケースの幅方向に渡って形成していると共に、背面パネルに仕切板を進入させる切欠きを複数形成しなければならず、背面パネルの強度が低下してしまい、変形してしまう虞もある。また、仕切板が進入していない切欠きを完全に閉塞することが難しく、切欠きから冷気が漏れてしまい、十分なエアーカーテンを形成することが出来なくなってしまう虞もある。
【０００８】
また、使用されていない切欠きに顧客が誤って手を入れてしまい、手が切欠きとカバーの間に挟まれて怪我を負ってしまう虞もある。
【０００９】
更に、使用していない切欠きに物が入れられてしまった場合に、冷却器上に物が落下し、十分な冷却性能を得ることが出来なくなってしまったり、庫内ファン等が故障してしまう等の虞もある。
【００１０】
本発明は、上記の点に鑑みてなされたものであり、その目的は前記課題を解決し、簡単な操作で、冷蔵商品と温蔵商品との陳列棚の比率を変更でき、効率的に冷蔵商品を冷やすことができるようにしたショーケースを提供することにある。
【課題を解決するための手段】
【００１１】
上記目的を達成するために、請求項１の発明のショーケースは、コ字状の断熱材と筺体内に区画板を有し、区画板の内側に商品を陳列する庫内を形成すると共に、区画板と断熱材との間に冷気循環ダクトを形成したものであって、庫内に上下に着脱自在に取り付けられた第１商品陳列棚と、第１商品陳列棚の区画板への取り付け位置に対応し、区画板に所定の大きさ、所定の数で形成された複数の冷気導入孔と、区画板の冷気循環ダクト側に支軸を介して回動可能に設けられ、起立した状態と水平とされた状態とに変更可能とされ、起立した状態で冷気導入孔を閉塞し、水平とされた状態で冷気循環ダクトを閉塞するフラッパーとを備え、第１商品陳列棚は冷気循環ダクトの冷気を庫内に導く中間ダクトと、第１商品陳列棚の前後方向に移動自在に取り付けられたフラッパー操作部を有しており、第１商品陳列棚を庫内に取り付け、フラッパー操作部を稼動させてフラッパー操作部の一部を第１商品陳列棚の後端部から突出させると、該フラッパー操作部の一部が区画板に形成された所定の孔を通過し、所定の孔に隣接するフラッパーを回動させて水平状態にして冷気循環ダクトを閉塞すると共に冷気導入孔を開放させて中間ダクトに冷気を導くことを特徴とする。
【００１２】
請求項２の発明のショーケースは、上記発明において、区画板に形成された複数の冷気導入孔は、フラッパー操作部が通過した特定の孔と略同じ高さに形成されていることを特徴とする。
【００１３】
請求項３の発明のショーケースは、上記各発明において、冷気循環ダクトの断熱材側に、フラッパー操作部によるフラッパーの回動を止めるフラッパー止めを設けたことを特徴とする。
【発明の効果】
【００１５】
請求項１の発明のショーケースは、コ字状の断熱材と筺体内に区画板を有し、区画板の内側に商品を陳列する庫内を形成すると共に、区画板と断熱材との間に冷気循環ダクトを形成したものであって、庫内に上下に着脱自在に取り付けられた第１商品陳列棚と、第１商品陳列棚の区画板への取り付け位置に対応し、区画板に所定の大きさ、所定の数で形成された複数の冷気導入孔と、区画板の冷気循環ダクト側に支軸を介して回動可能に設けられ、起立した状態と水平とされた状態とに変更可能とされ、起立した状態で冷気導入孔を閉塞し、水平とされた状態で冷気循環ダクトを閉塞するフラッパーとを備え、第１商品陳列棚は冷気循環ダクトの冷気を庫内に導く中間ダクトと、第１商品陳列棚の前後方向に移動自在に取り付けられたフラッパー操作部を有しており、第１商品陳列棚を庫内に取り付け、フラッパー操作部を稼動させてフラッパー操作部の一部を第１商品陳列棚の後端部から突出させると、該フラッパー操作部の一部が区画板に形成された所定の孔を通過し、所定の孔に隣接するフラッパーを回動させて水平状態にして冷気循環ダクトを閉塞すると共に冷気導入孔を開放させて中間ダクトに冷気を導くことにより、区画板の強度を低下させること無く、冷蔵商品と温蔵商品の併売を行うことができる。
【００１６】
請求項２の発明のショーケースは、上記発明に加え、区画板に形成された複数の冷気導入孔は、フラッパー操作部が通過した特定の孔と略同じ高さに形成されていることにより、庫内の左右方向に均一なエアーカーテンを形成することができる。
請求項３の発明のショーケースは、上記各発明に加え、冷気循環ダクトの断熱材側に、フラッパー操作部によるフラッパーの回動を止めるフラッパー止めを設けたことにより、フラッパーがフラッパー止めで確実に停止し、フラッパー操作部よりも上部に冷気が流れないようにすることができる。 
【図面の簡単な説明】
【００１７】
【図１】本発明を適用したショーケースの側面図である。
【図２】中間ダクトが備わった商品陳列棚が接続されている拡大側面図である。
【図３】中間ダクトが備わった商品陳列棚の上面図である。
【図４】中間ダクトが備わった商品陳列棚が接続されている時にフラッパー操作部を作動させたときの拡大側面図である。
【図５】中間ダクトが備わった商品陳列棚のフラッパー操作部を作動させた時の上面図である。
【図６】複数の実施例としての区画板の正面図である。
【発明を実施するための最良の形態】
【００１８】
以下、図面に基づき本発明の実施形態を詳細に説明する。
ショーケース1は前面に開口するコ字状の断熱材2と区画板3によって本体が構成されてお
り、区画板３と断熱材２との間に背方から上方に渡る冷気循環ダクト4が構成されている
。また、冷気循環ダクトの下端には、前方に延在するデッキバン5が設けられており、こ
れら、断熱材、区画板及びデッキバンの内側に庫内６が構成されている。そして、デッキバンの下方には冷気循環ダクトに連通してその一部を構成する下部ダクト７が構成されている。
冷気循環ダクトの上端は庫内の前面開口上縁に位置する上部冷気吐出口９に連通し、その前方部には商品を照らす蛍光灯支持部材１０が設置されている。下部ダクトの前端は庫内の前面開口下縁に位置すると共に、複数のスリットから成る冷気吸込口１１に連通している。また、デッキパン５の下方の下部ダクトには冷気送給用の送風機８が配置され、庫内後方の冷気循環ダクト内には冷却装置の冷凍サイクルを構成する冷却器１２が縦設されている。
庫内には中間ダクト１４と複数段の商品陳列棚１３が、本実施例では上下に７段架設されている。各商品陳列棚は、後端に後方に突出する鉤状の爪を有した左右一対のブラケット１５と、このブラケット上に差し渡して着脱自在に取り付けられた棚板１６と、この棚板の下面に取り付けられた加温用の図示しない電気ヒータとから構成されている。
そして、ショーケース内の区画板に取り付けられた棚支柱１７に、上下方向に複数形成された孔１８に前記ブラケットの爪を係脱自在に係合させることにより、各商品陳列棚１３は庫内に置いて上下位置（高さ）を変更可能に架設されている。尚、この場合、陳列する商品（缶やペットボトル等）の高さ寸法に合わせて効率的な棚配置ができるように、商品に対応した番号や色を棚支柱１７（棚支柱の所定の高さの位置）に付しておくと良い。
各図において１４は本発明の中間ダクトである。この中間ダクト１４上には、商品陳列棚１３が構成されており、この中間ダクト１４の前端において斜め前下方に開口する棚下冷気吐出口１８に連通され、後端は孔にて開口している。また、この棚ダクト部材には前後方向に移動自在に取り付けられたフラッパー操作部２０が設けられている。
尚、このフラッパー操作部２０は操作部を稼働させると突起物が突出する仕組みになっている。また、冷気循環ダクト４内にはフラッパー止め２１と、また孔を塞ぐように冷気循環ダクト４内に可動式のフラッパー２２が複数設けられている。
中間ダクト１４に設置されているフラッパー操作部２０を操作すると、孔をフラッパー操作部２０が通過し、孔に隣接するフラッパー２２が回動する。回動したフラッパー２２はフラッパー止め２１に接し、それ以上回動することはない。これにより、冷気循環ダクト４内に冷気の流動を変化させる壁ができる。
そのため、冷気循環ダクト４内を流れる冷気はフラッパー２２とフラッパー操作部２０により、それ以上上方部に冷気が流れない。冷気はフラッパー２２により開口された孔から中間ダクト１４に流れる。中間ダクト１４内を流れる冷気は前端において斜め前下方に開口する棚下冷気吐出口１８を通り、下方に吹出され、エアーカーテンを形成する。
棚下冷気吐出口１８より吹出された冷気は冷気吸込口１１に向けて流れることで、中間ダクト１４よりも下段に陳列された商品は冷蔵商品として販売ができる。
中間ダクト１４よりも上の商品陳列棚１３は、商品陳列棚に図示しない内蔵されているヒータを作動させることで加温されるので、温蔵商品を販売することができる。
このように、中間ダクト１４の差し込み位置を変更するだけで、容易に冷蔵商品と温蔵商品の陳列比率を変更することができる。
フラッパー２２の支軸を区画板３のフラッパー操作部２０が侵入する孔１９の上方に形成したことにより、冷気循環ダクト４内の冷気を中間ダクト１４内に誘導することができる。 
冷気循環ダクト４の断熱材２側にフラッパー止め２１を有していることにより、フラッパー２２がフラッパー止め２１で確実に停止し、フラッパー操作部２０よりも上部に冷気が流れないようにすることができる。
中間ダクト１４に接続されているフラッパー操作部２０が通過した孔１９と略同じ高さに冷気を中間ダクト１４に導く冷気導入孔を複数形成したことにより、庫内の左右方向に均一なエアーカーテンを形成することができる。
区画板３について説明をする。区画板３に設けられた複数の孔２３の大きさは任意である。これは、孔２３が設けられている区画板３の位置により孔２３の大きさや数が決まる。これは、冷気循環ダクト４内を流れる冷気の風力が異なるため、それを調節するためであり、区画板３の強度を保つためでもある。
なお、上記実施例では、商品陳列棚が７段の場合について説明したが、この段数に限られるものではない。
【符号の説明】
【００１９】
１      ショーケース
２      断熱材
３      区画板
４      冷気循環ダクト
５      デッキバン
６      庫内
８      送風機
１２      冷却器
１３      商品陳列棚
１４      中間ダクト
１５      ブラケット
１６      棚板
２０      フラッパー操作部
２１      フラッパー止め
２２      フラッパー
２３      孔
【図１】
0005605022.tif 000002
【図２】
0005605022.tif 000003
【図３】
0005605022.tif 000004
【図４】
0005605022.tif 000005
【図５】
0005605022.tif 000006
【図６】
0005605022.tif 000007